(57)【要約】【課題】搬送ベルトを用いて被搬送物を搬送する構成を備えた装置において、インクミストが搬送ベルト上のプラス帯電領域によって反発し、検出手段の側へ飛散することを抑制する。【解決手段】インクジェットプリンター１は、静電吸着により記録用紙を吸着して搬送する搬送ベルト９と、搬送ベルト９を帯電させるベルト帯電手段１４と、を備える。ベルト帯電手段１４は、搬送ベルト９において記録用紙Ｐ１、Ｐ２が載置される載置面９ａの、第２用紙検出センサー５と対向する帯電領域をマイナス帯電領域とする。レナード効果によりプラス帯電したインクミストは、第２用紙検出センサー５直下の帯電領域から反発力を受けず、第２用紙検出センサー５の側へインクミストが飛散することが抑制される。【選択図】図２
2014141332.tif 000002
【特許請求の範囲】
【請求項１】
静電吸着により被搬送物を吸着して搬送する搬送ベルトと、
前記搬送ベルトを帯電させるベルト帯電手段と、
前記搬送ベルトにおいて被搬送物が載置される載置面と対向配置された、前記載置面上の被検出物を検出する検出手段と、を備え、
前記ベルト帯電手段は、前記搬送ベルトの、前記検出手段と対向する帯電領域をマイナス帯電領域とする、
ことを特徴とする媒体搬送装置。
【請求項２】
請求項１に記載の媒体搬送装置において、前記ベルト帯電手段は、前記被搬送物の搬送方向と交差する方向である第１の方向において前記検出手段と対向する帯電領域から前記搬送ベルトの外側に向かって所定の間隔を空けて形成されたマイナス帯電領域について、前記検出手段と対向する帯電領域の帯電量を基準として、前記搬送ベルトの外側に向かって帯電量が多くなる様に前記マイナス帯電領域を形成する、
ことを特徴とする媒体搬送装置。
【請求項３】
請求項２に記載の媒体搬送装置において、前記ベルト帯電手段は、前記搬送ベルトと接する帯電ローラーと、
前記帯電ローラーに電圧を印加する電圧印加手段と、を備えて成り、
前記帯電ローラーは、前記検出手段と対向する帯電領域を形成する部分を基準とし、前記搬送ベルトの外側に向かって電気抵抗値が低くなる様に構成されている、
ことを特徴とする媒体搬送装置。
【請求項４】
請求項１から３のいずれか一項に記載の媒体搬送装置において、前記検出手段は、発光部と受光部とを備えて成る光学センサーである、
ことを特徴とする媒体搬送装置。
【請求項５】
請求項１から４のいずれか一項に記載の媒体搬送装置において、前記ベルト帯電手段は、被搬送物が載置される載置領域を除いた領域をマイナス帯電させる、
ことを特徴とする媒体搬送装置。
【請求項６】
請求項１から５のいずれか一項に記載の媒体搬送装置において、前記ベルト帯電手段は、前記載置面を構成するベルト部分全体についてマイナス帯電量がプラス帯電量より多くなる様に前記搬送ベルトを帯電させる、
ことを特徴とする媒体搬送装置。
【請求項７】
静電吸着により被搬送物を吸着して搬送する搬送ベルトと、
前記搬送ベルトを帯電させるベルト帯電手段と、
前記搬送ベルトにおいて被搬送物が載置される載置面と対向配置された、前記載置面上の被検出物を検出する検出手段と、
前記被搬送物にインクを吐出する記録ヘッドと、を備え、
前記ベルト帯電手段は、前記記録ヘッドから吐出され、プラス帯電したインクミストを、前記検出手段から遠ざかる方向に誘導するように前記搬送ベルトを帯電させる、
ことを特徴とする媒体搬送装置。
【請求項８】
記録を行う記録ヘッドと、
前記記録ヘッドと対向する様に前記載置面が配置された、請求項１から７のいずれか一項に記載の前記媒体搬送装置と、
を備えた記録装置。
【請求項９】
請求項８に記載の記録装置において、媒体搬送経路において前記記録ヘッドより下流側であって前記載置面と対向する位置に、プラス電圧が印加される被電圧印加部材を備える、
ことを特徴とする記録装置。
【発明の詳細な説明】
【技術分野】
【０００１】
本発明は、媒体を搬送する媒体搬送装置、およびこれを備えた記録装置に関する。
【背景技術】
【０００２】
プリンターに代表される記録装置において、搬送ベルトを用いて被搬送物、即ち記録用紙を搬送する構成が採用される場合がある。この様な構成において適切な記録品質を得る為には、記録用紙の搬送ベルトからの浮き上がりを防止する必要がある。そして記録用紙を搬送ベルトに吸着させる手段として、エアー吸引によるほか、静電吸着によるものが従来から用いられている。特許文献１〜５には、その様な従来の構成が開示されている。
【０００３】
特許文献１記載の印刷装置は、搬送ベルトに極性の異なる帯電領域が交番する帯電パターンを形成するにあたり、極性が反転する位置を除く領域と、記録用紙の端部とが対向するように構成されている。即ち、電荷が「＋」から「−」に切り換わる部分では、電荷が零となる箇所が存在するが、この様な電荷が零となる周辺では、「＋」電荷と「−」電荷とが近接しているため互いに電荷の影響を受け、帯電が不安定な領域が存在する。このことに鑑み、特許文献１記載の印刷装置は、記録用紙の端部がその様な不安定領域に望まないように、帯電パターンを形成している。
【０００４】
尚、搬送ベルト上に交番電圧を付与することにより、プラス帯電領域とマイナス帯電領域とを交互に形成するのは、プラス電荷からマイナス電荷に向かう電気力線または電気力、クーロン力の影響により媒体に加わる静電吸着力（マクスウェル応力による吸着力）が、搬送ベルト上に一様に同極性の帯電領域を形成することによって得られる静電吸着力（誘電分極による吸着力）より、効果的な場合がある為である。  
その他、特許文献２〜４にも、搬送ベルト上に交番電圧を付与することにより記録媒体を搬送ベルトに静電吸着する構成が開示されている。
【０００５】
また、特許文献５記載のインクジェット記録装置は、搬送ベルトの帯電がインク滴の飛翔精度に悪影響を及ぼすことを課題とする。即ち、搬送ベルトの記録ヘッド直下の表面領域に対応する所定範囲の裏面側領域に、搬送ベルトの帯電による記録用紙内部での誘電分極を消失させるべく、搬送ベルトとは逆極性に帯電した電荷保持ローラを当接させる構成を備えている。これにより、記録媒体の誘電分極が弱められ、インク滴の正規の飛翔を妨げることがなく、高品位の記録を行うことができる。
【先行技術文献】
【特許文献】
【０００６】
【特許文献１】特開２００６−２６４８９９号公報
【特許文献２】特開２００６−３４６８７０号公報
【特許文献３】特開２００８−７４５７８号公報
【特許文献４】特開２００６−１０３０２２号公報
【特許文献５】特開２００６−６２８２９号公報
【発明の概要】
【発明が解決しようとする課題】
【０００７】
ところで、インクジェット記録ヘッドから吐出されたインクのうち、記録用紙に着弾せずに漂う液滴（インクミストと呼ばれる場合がある）が、装置の構成部品に付着したり、或いは記録用紙の記録面に付着するという技術的課題は、従来から知られている。
【０００８】
ここで、このインクミストの帯電特性について、以下説明する。記録ヘッドからインク滴が吐出されると、このインク滴は、記録用紙に着弾するメイン液滴と、記録用紙に着弾せずに漂うサテライト液滴（これが上述のインクミストとなる）とに別れるが、空気中を漂うサテライト液滴はレナード効果によりプラス帯電（サテライト液滴周囲の空気はマイナス帯電）することになる。そしてまた、インクミストが空気中を漂う時間が長くなればなる程、当該インクミストのプラス帯電量は大きくなる。
【０００９】
一方、搬送ベルトと対向する領域には、記録用紙を検出する検出手段、具体的には光学センサーが設けられる場合がある。この光学センサーは発光部と受光部とを備えるため、浮遊するインクミストが発光部や受光部に付着すると、検出感度の低下により誤検出を招くこととなる。そしてインクミストは搬送ベルト上の特にプラス帯電領域の影響を受け、反発し、光学センサーに向かって飛散することで、より一層光学センサーに付着する傾向が生じるおそれがある。  
そしてこの様な技術的課題については、上記特許文献１〜５においては、格別配慮されていなかった。
【００１０】
本発明はこの様な状況に鑑みなされたものであり、その目的は、搬送ベルトを用いて被搬送物を搬送する構成を備えた装置において、インクミストが搬送ベルト上のプラス帯電領域によって反発し、検出手段の側へ飛散することを抑制することにある。
【課題を解決するための手段】
【００１１】
上記課題を解決する為の、本発明の第１の態様に係る媒体搬送装置は、静電吸着により被搬送物を吸着して搬送する搬送ベルトと、前記搬送ベルトを帯電させるベルト帯電手段と、前記搬送ベルトにおいて被搬送物が載置される載置面と対向配置された、前記載置面上の被検出物を検出する検出手段と、を備え、前記ベルト帯電手段は、前記搬送ベルトの、前記検出手段と対向する帯電領域をマイナス帯電領域とすることを特徴とする。
【００１２】
本態様によれば、搬送ベルトを帯電させるベルト帯電手段は、搬送ベルトの、検出手段と対向する帯電領域をマイナス帯電領域とするので、プラス帯電した液滴が検出手段直下の帯電領域（具体的には、プラス帯電領域）から反発力を受けて検出手段に向けて飛散するといった問題を回避することができ、これにより検出手段に液滴が付着することに伴う不具合を抑制することができる。
【００１３】
本発明の第２の態様は、第１の態様において、前記ベルト帯電手段は、前記被搬送物の搬送方向と交差する方向である第１の方向において前記検出手段と対向する帯電領域から前記搬送ベルトの外側に向かって所定の間隔を空けて形成されたマイナス帯電領域について、前記検出手段と対向する帯電領域の帯電量を基準として、前記搬送ベルトの外側に向かって帯電量が多くなる様に前記マイナス帯電領域を形成することを特徴とする。
【００１４】
本態様によれば、前記ベルト帯電手段は複数のマイナス帯電領域を形成するに際し、検出手段と対向する領域からベルト外側に向かって帯電量が多くなる様に搬送ベルトを帯電させるので、浮遊する液滴は検出手段の領域からベルト外側方向に誘引されることとなり、これにより検出手段に液滴が付着することをより効果的に抑制することができる。
【００１５】
本発明の第３の態様は、第２の態様において、前記ベルト帯電手段は、前記搬送ベルトと接する帯電ローラーと、前記帯電ローラーに電圧を印加する電圧印加手段と、を備えて成り、前記帯電ローラーは、前記検出手段と対向する帯電領域を形成する部分を基準とし、前記搬送ベルトの外側に向かって電気抵抗値が低くなる様に構成されていることを特徴とする。
【００１６】
本態様によれば、前記帯電ローラーは、前記検出手段と対向する帯電領域を形成する部分を基準とし、前記搬送ベルトの外側に向かって電気抵抗値が低くなる様に構成されているので、前記電圧印加手段は前記帯電ローラーに対し一定電圧を印加することでベルト外側の帯電量を多くすることができ、電圧制御が簡易となる。
【００１７】
本発明の第４の態様は、第１から第３の態様のいずれかにおいて、前記検出手段は、発光部と受光部とを備えて成る光学センサーであることを特徴とする。  
本態様によれば、検出手段が光学センサーにより構成された媒体搬送装置において、上記第１から第３の態様のいずれかの作用効果を得ることができる。
【００１８】
本発明の第５の態様は、第１から第４の態様のいずれかにおいて、前記ベルト帯電手段は、被搬送物が載置される載置領域を除いた領域をマイナス帯電させることを特徴とする。
【００１９】
本態様によれば、前記ベルト帯電手段は、搬送ベルトにおいて被搬送物が載置される載置領域を除いた領域をマイナス帯電させるので、プラス帯電した液滴は搬送ベルトの被搬送物載置領域外のマイナス帯電領域に引きつけられ、付着する。これにより、被搬送物上より搬送ベルト上への液滴（この場合、サテライト液滴）の付着量を増やすことができ、被搬送物への液滴の付着量を減らすことができる。そしてまた、液滴の飛散をより一層抑制し、良好な結果を得ることが可能となる。
【００２０】
本発明の第６の態様は、第１から第５の態様のいずれかにおいて、前記ベルト帯電手段は、前記載置面を構成するベルト部分全体についてマイナス帯電量がプラス帯電量より多くなる様に前記搬送ベルトを帯電させることを特徴とする。
【００２１】
本態様によれば、前記ベルト帯電手段は、前記載置面を構成するベルト部分全体についてマイナス帯電が支配的となる様に前記搬送ベルトを帯電させるので、前記載置面の上方を漂う液滴が搬送ベルト側に引き寄せられ、より一層効果的に液滴の飛散を抑制することができる。
【００２２】
本発明の第９の態様は、静電吸着により被搬送物を吸着して搬送する搬送ベルトと、前記搬送ベルトを帯電させるベルト帯電手段と、前記搬送ベルトにおいて被搬送物が載置される載置面と対向配置された、前記載置面上の被検出物を検出する検出手段と、前記被搬送物にインクを吐出する記録ヘッドと、を備え、前記ベルト帯電手段は、前記記録ヘッドから吐出され、プラス帯電したインクミストを、前記検出手段から遠ざかる方向に誘導するように前記搬送ベルトを帯電させることを特徴とする。
【００２３】
本態様によれば、前記ベルト帯電手段は、前記記録ヘッドから吐出され、プラス帯電したインクミストを、前記検出手段から遠ざかる方向に誘導するように前記搬送ベルトを帯電させるので、インクミストが検出手段直下の帯電領域から反発力を受けて検出手段に向けて飛散するといった問題を回避することができ、これにより検出手段にインクミストが付着することに伴う不具合を抑制することができる。
【００２４】
本発明の第８の態様は、媒体に記録を行う記録ヘッドと、前記記録ヘッドと対向する様に前記載置面が配置された、第１から第７の態様のいずれかに係る媒体搬送装置と、を備えた記録装置である。本態様によれば、記録装置において、上述した第１から第７の態様のいずれかと同様な作用効果を得ることができる。
【００２５】
本発明の第９の態様は、第８の態様において、媒体搬送経路において前記記録ヘッドより下流側であって前記載置面と対向する位置に、プラス電圧が印加される被電圧印加部材を備えることを特徴とする。
【００２６】
記録ヘッドから吐出された液滴は、搬送ベルトの移動に伴う作用（空気流の作用）により、搬送方向下流側に飛散する傾向がある。本態様によれば、媒体搬送経路において前記記録ヘッドより下流側であって前記載置面と対向する位置に、プラス電圧が印加される被電圧印加部材を備えるので、前記搬送ベルトにおけるマイナス帯電領域と被電圧印加部材との間で電界が形成され、これにより飛散した液滴を搬送ベルト側に効果的に付着させることができ、液滴の飛散を効果的に防止することができる。
【図面の簡単な説明】
【００２７】
【図１】本発明に係るインクジェットプリンターにおける記録部の側面図。
【図２】搬送ベルト上の帯電パターンの第１実施例を模式的に示す平面図。
【図３】ベルト帯電手段の構成を示す平面図。
【図４】搬送ベルト上の帯電パターンの第２実施例を模式的に示す平面図。
【図５】ベルト帯電手段の第２実施形態の構成を示す平面図。
【図６】搬送ベルト上の帯電パターンの第３実施例を模式的に示す平面図。
【図７】ベルト帯電手段の第３実施形態の構成を示す平面図。
【発明を実施するための形態】
【００２８】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２９】
図１は本発明の記録装置の一実施形態であるインクジェットプリンター１の、記録部の側面図、図２は搬送ベルト上の帯電パターン状態の第１実施例を模式的に示す平面図、図３はベルト帯電手段の構成を示す平面図である。また、図４はベルト帯電手段の第２実施形態の構成を示す平面図、図５は搬送ベルト上の帯電パターンの第２実施例を模式的に示す図、図６は同第３実施例を模式的に示す図である。更に、図７はベルト帯電手段の第３実施形態の構成を示す平面図である。尚、各図においてはインクジェットプリンター１の構成要素を適宜簡略化して描いている。
【００３０】
また、各図に示すｘ−ｙ−ｚ座標系は、ｘ方向及びｙ方向が水平方向であり、このうちｘ方向は用紙幅方向及びベルト幅方向（装置奥行き方向）であり、ｙ方向は装置左右方向及びベルト移動方向並びに用紙搬送方向である。また、ｚ方向は重力方向（装置高さ方向）である。
【００３１】
図１において、インクジェットプリンター１はフィードローラー２を備え、このフィードローラー２によって、被搬送物の一例としての記録用紙Ｐを搬送ベルト９上に供給する構成を備える。フィードローラー２の更に上流側には、記録用紙を収容する着脱自在な用紙カセット、当該用紙カセットから記録用紙Ｐを送り出す給送ローラー、などを備えて成る給送手段が設けられているが、図１では当該給送手段は図示を省略している。また、記録の行われた記録用紙Ｐを排出する排出手段も、図示を省略している。
【００３２】
搬送ベルト９は、そのベルト面上に記録用紙Ｐを吸着して搬送する為の無端状ベルトであり、駆動ローラー７と従動ローラー８との間に係回される。駆動ローラー７と、その下流側に配置された従動ローラー８とは、略水平面内に所定の間隔で平行に配置されており、これにより搬送ベルト９は、駆動ローラー７と従動ローラー８との間に位置するベルト部分のうち上部と下部の双方が略水平面状とされている。但しこれに限られるものではなく、駆動ローラー７と従動ローラー８の径が異なる場合などは、搬送ベルト９の上部が略水平であれば、下部は水平である必要は無い。
【００３３】
駆動ローラー７は図示しない駆動モーターによって回転駆動される様に構成されており、またこの駆動モーターは制御部１１により駆動制御され、これにより搬送ベルト９は、所定のタイミングにて、所定の方向に、所定の移動速度によって所定の移動量、駆動される。尚、図１における矢印（右矢印及び左矢印）はベルト移動方向を示し、駆動ローラー７と従動ローラー８に付記された曲線矢印は両ローラーの回転方向を示している。
【００３４】
搬送ベルト９は、後に説明する様にベルト帯電手段１４によって所定の状態に帯電し、これにより記録用紙Ｐを静電吸着する。このため搬送ベルト９は、少なくとも表面（外周面）が中抵抗（１×１０１０Ω／□以下）の樹脂、例えばＰＥＴやポリイミド、フッ素系樹脂、ゴムなどの絶縁性材料で構成され、また必要に応じてカーボンブラックや導電性フィラーを混入させて抵抗値を調整し、帯電させる為の保持電荷量が調整される。
【００３５】
搬送ベルト９の上方には、平面状とされた搬送ベルト９の表面に対向してインクジェット記録ヘッド３が配置されている。インクジェット記録ヘッド３は、搬送ベルト９の移動方向、即ち記録用紙Ｐの搬送方向の上流側から順に、例えばイエロー（Ｙ）、マゼンタ（Ｍ）、シアン（Ｃ）、黒（Ｋ）、のこれら４色のインク滴（液滴）を吐出するノズル列（不図示）を有している。そして制御部１１の制御のもと、搬送ベルト９によって搬送される記録用紙Ｐにそれぞれ所定のタイミングで吐出しカラー画像を形成する。
【００３６】
尚、インクジェットプリンター１の装置本体（不図示）には、Ｙ、Ｍ、Ｃ、Ｋ、のこれら各色のインクが貯留されたインクタンク（不図示）が、装置本体に対して着脱自在、或いは着脱不能に設けられており、不図示のインクチューブを介して、インクタンクからインクジェット記録ヘッド３へとインクが供給される様になっている。
【００３７】
本実施形態においてインクジェット記録ヘッド３は、用紙搬送方向と直交する方向である搬送ベルト９の幅方向（ｘ方向）に沿って長尺なヘッドであり、即ち使用が想定される記録用紙のうち最も大きなサイズの用紙幅全体をカバー可能な長さに形成された非走査型のヘッドである。しかしながら本発明はこれに限られず、用紙幅方向（ｘ方向）に移動しながらインクを吐出する走査型ヘッド、所謂シリアルタイプの記録ヘッドであっても構わない。
【００３８】
また、インクジェット記録ヘッド３において搬送ベルト９と対向する面を形成する、インク吐出孔（不図示）が形成されたノズルプレート３ａは、金属等の導体で形成しても良いし、シリコン等の絶縁体、或いは半導体で形成しても良い。尚、ノズルプレート３ａを金属等の導体で形成する場合、ノズルプレート３ａを接地すると、ノズルプレート３ａ内を移動するインクのマイナス電荷がノズルプレート３ａ側に移動することにより、インクは吐出される時点でプラス帯電側に帯電状態が変化することとなる。
【００３９】
そしてこのノズルプレート３ａの下面（ノズル形成面）が、搬送ベルト９の上面、即ち記録用紙Ｐを載置する用紙載置面９ａに向けられるとともに、ノズル形成面が搬送ベルト９の用紙載置面９ａと所定距離だけ離されて配置されている。
【００４０】
インクジェット記録ヘッド３において搬送ベルト９と対向する面の、ノズルプレート３ａから外れた位置には、第２用紙検出センサー５が設けられている。第２用紙検出センサー５は光学式のセンサーであり、図示しない発光部と受光部とを備え、発光部から放射する光を受光部で受け、その光量の多少に基づく検出信号を制御部１１へと送る。これにより制御部１１は、記録用紙Ｐの先端通過、及び後端通過を検出できるとともに、搬送ベルト９の駆動速度と合わせて、記録用紙Ｐの長さを把握可能となっている。
【００４１】
また、フィードローラー２の下流であって、搬送ベルト９の上流側、即ちフィードローラー２と搬送ベルト９との間には、第１用紙検出センサー４が設けられている。第１用紙検出センサー４は、第２用紙検出センサー５と同様の構成を備えた光学センサーであり、インクジェットプリンター１の制御部１１は、第１用紙検出センサー４からの検出信号を受けることにより、搬送ベルト９への記録用紙Ｐの到達タイミング、より具体的には搬送ベルト９に形成する帯電パターン（後述）と記録用紙Ｐとの位置関係を制御できる様になっている。尚、図１では、第１用紙検出センサー４が搬送ベルトにおける記録用紙Ｐの載置領域の近傍に示されているが、実際には搬送ベルト９における記録用紙Ｐの載置領域から、第２帯電部１８（第２帯電ローラー２０）までの距離と同等以上の距離がある必要がある。このことにより、搬送ベルト９における記録用紙Ｐの先端或いは後端が載置される領域が把握できるため、搬送ベルト９への帯電制御が可能となる。
【００４２】
続いて搬送ベルト９を駆動する駆動ローラー７の下側には、ベルト帯電手段１４が設けられている。このベルト帯電手段１４は、第１帯電部１５と、第２帯電部１８と、のこれら２つの帯電部（帯電ローラー）と、これら帯電部へ電圧を印加する電圧印加手段１２とを備えて成る。
【００４３】
電圧印加手段１２は交流電源、直流電源、公知のスイッチングレギュレータ、等によって構成された電源装置であり、交番電圧の整流、極性反転、パルス変調などを行える電源装置である。電圧印加手段１２は、制御部１１の制御のもと、第１帯電部１５、第２帯電部１８、のこれら帯電部に対し、所定の電圧（直流電圧または交番電圧）を印加する。
【００４４】
一方、従動ローラー８の下側には、除電器１０が設けられている。除電器１０は、搬送ベルト９の帯電状態を解消する為の除電手段であり、ベルト駆動方向においてベルト帯電手段１４の上流側に位置し、制御部１１の制御のもと、ベルト帯電手段１４が搬送ベルト９に帯電パターンを形成する前に、当該搬送ベルト９の帯電状態を予め解消する。尚、除電器１０は、公知のイオン式の除電装置や除電ブラシに代表される自己放電式除電器等、種々のタイプの除電手段を用いることができる。
【００４５】
また、符号１９は、インクジェット記録ヘッド３より下流側であって搬送ベルト９の用紙載置面９ａと対向する位置に設けられた被電圧印加部材を示している。被電圧印加部材１９は導電性材料により形成され、プラス電圧が印加される。
【００４６】
これにより、以下の作用が得られる。即ちインクジェット記録ヘッド３から吐出されて浮遊するインク滴は、搬送ベルト９の移動に伴う作用（空気流の作用）により、搬送方向下流側に飛散する傾向がある。しかし、搬送ベルト９における用紙載置面９ａのマイナス帯電領域部分と、被電圧印加部材１９との間で電界が形成され、これにより飛散したインク滴を搬送ベルト９側に効果的に付着させることができ、インク滴の飛散を効果的に防止することができる。
【００４７】
更に符号２４は、クリーニングローラーである。クリーニングローラーは、搬送ベルト９と接触可能に設けられており、搬送ベルト９と接することにより、搬送ベルト９に付着したインク滴や異物等を除去する。クリーニングローラー２４は図示しないモーターによって搬送ベルト９の移動方向に抗する方向に回転駆動され、これにより搬送ベルト９上をワイピングする様に機能する。尚、クリーニングローラー２４に限らず、ワイパーなど、搬送ベルト９をクリーニングできるものであればどの様なものであっても構わない。
【００４８】
■■■第１実施例■■■  
続いて、ベルト帯電手段１４によって形成される帯電パターンの第１実施例を図２に基づいて説明する。図２において「＋」或いは「−」の文字が丸囲いされて成る表示は、搬送ベルト９の用紙載置面９ａ上に形成される帯電極性（搬送ベルト上に生じた電荷の極性）をイメージ的に表している。符号Ｐ１は先行して搬送される記録用紙を、符号Ｐ２は記録用紙Ｐ１に続いて搬送される記録用紙を示している。
【００４９】
本実施例において搬送ベルト９における用紙載置面９ａ上には、用紙搬送方向（ｙ方向）に沿って延びるプラス帯電領域とマイナス帯電領域とが、搬送方向と交差する方向である第１の方向としてのベルト幅方向（ｘ方向）に交互に配置されて成る帯電パターンが、ベルト帯電手段１４によって形成される。
【００５０】
図２において破線Ｔ０は、搬送ベルト９において第２用紙検出センサー５の直下を通過するラインを示している（以下「検出ラインＴ０」と言う）。図示する様にベルト帯電手段１４は、搬送ベルト９の用紙載置面９ａ上において検出ラインＴ０上を、マイナス帯電領域とする。即ち、搬送ベルト９において第２用紙検出センサー５と対向する帯電領域をマイナス帯電領域とする。
【００５１】
これにより、プラス帯電したインクミストが第２用紙検出センサー５直下の帯電領域から反発力を受けて第２用紙検出センサー５に向けて飛散することを抑制することができ、これにより第２用紙検出センサー５にインクミストが付着することに伴う不具合（誤検出）を抑制することができる。
【００５２】
即ち、ベルト帯電手段１４は、プラス帯電したインクミストを、第２用紙検出センサー５から遠ざかる方向に誘導するように搬送ベルト９を帯電させるので、第２用紙検出センサー５にインクミストが付着することに伴う不具合（誤検出）を抑制することができる。
【００５３】
この様な帯電状態を形成する第１帯電部１５および第２帯電部１８の構成は、図３に示される。第１帯電部１５は、搬送ベルト９と接する第１帯電ローラー１７が、搬送ベルト９の移動方向（ｙ方向）と交差する第１の方向であるベルト幅方向（ｘ方向）に延びる軸１６に沿って、所定間隔で配置されて成る。第２帯電部１８は、搬送ベルト９と接する第２帯電ローラー２０が、第１帯電部１５の上流側（ベルト移動方向上流側）に位置し、軸１６と平行に延びる軸１９に沿って、第１帯電ローラー１７の間に位置する様に配置されて成る。尚、第１帯電ローラー１７及び第２帯電ローラー２０は、例えば導電性ゴム材などで構成される。
【００５４】
電圧印加手段１２は、第１帯電部１５及び第２帯電部１８にそれぞれ逆極性の直流電圧を印加する（第１帯電部１５にはプラス電圧、第２帯電部１８にはマイナス電圧）。これにより搬送ベルト９には、用紙搬送方向に延びるプラス帯電領域とマイナス帯電領域とが、用紙幅方向に交互に配置されて成る帯電パターンが形成される。そして検出ラインＴ０上の帯電領域は、マイナス電圧が印加される第２帯電ローラー２０と接するので、これにより検出ラインＴ０上にはマイナス帯電領域が形成される。
【００５５】
■■■第２実施例■■■  
続いて、ベルト帯電手段によって形成される帯電パターンの第２実施例を図４に基づいて説明する。図４に示す帯電パターンにおいて図２に示した第１実施例と異なるのは、検出ラインＴ０上のマイナス帯電領域の帯電量を基準として、搬送ベルト９の外側（ｘ方向外側）に向かって帯電量が多くなる様に帯電パターンが形成されている点である。図４中、太い丸で囲われた「−」表示は、帯電量が多いことをイメージ的に示している。
【００５６】
図４の実施例では、マイナス帯電領域は、検出ラインＴ０上に加え、ラインＴ１、Ｔ２上にそれぞれ形成される。ラインＴ１上に形成されたマイナス帯電領域の帯電量は、検出ラインＴ０上に形成されたマイナス帯電領域の帯電量よりも多い。また、ラインＴ２上に形成されたマイナス帯電領域の帯電量は、ラインＴ１上に形成されたマイナス帯電領域の帯電量よりも多い。
【００５７】
この様な帯電パターンにより、浮遊するインクミストは検出ラインＴ０上、即ち第２用紙検出センサー５の下側領域からベルト外側方向に誘引されることとなり、これにより第２用紙検出センサー５にインクミストが付着することをより効果的に抑制することができる。
【００５８】
この様な帯電状態を形成する第２帯電部は、図５において符号１８Ａで示す第２帯電部の様に構成することができる。図５に示す第２帯電部１８Ａは、第２帯電ローラー２０Ａ、２０Ｂ、２０Ｃ、を備えて成る。図３に示した第２帯電部１８と異なるのは、第２帯電ローラー２０Ａ、２０Ｂ、２０Ｃ、のこれらの電気抵抗値が異なる点である。
【００５９】
検出ラインＴ０上のマイナス帯電領域を形成する第２帯電ローラー２０Ａは、抵抗値ＡΩである。ラインＴ１上のマイナス帯電領域を形成する第２帯電ローラー２０Ｂは、抵抗値ＢΩである。ラインＴ２上のマイナス帯電領域を形成する第２帯電ローラー２０Ｃは、抵抗値ＣΩである。これらの抵抗値は、Ａ＞Ｂ＞Ｃの関係をとる。即ち、第２用紙検出センサー５と対向するマイナス帯電領域を形成する部分を基準とし、搬送ベルト９の外側に向かって電気抵抗値が低くなる様に構成されている。
【００６０】
これにより、電圧印加手段１２は第２帯電部１８Ａに対し一定電圧を印加することでベルト外側の帯電量を多くすることができ、電圧制御が簡易となる。  
なお、以上の様な構成に代えて、電気抵抗値の同じ複数の第２帯電ローラー２０（図３）に対し、異なる電圧を与えることで、図４に示す帯電パターンを形成する様にしても良い。即ち、ベルト外側に向かって高電圧を与える構成である。
【００６１】
■■■第３実施例■■■  
続いて、ベルト帯電手段によって形成される帯電パターンの第３実施例を図６に基づいて説明する。図６に示す帯電パターンにおいて図２に示した第１実施例及び図４に示した第２実施例と異なるのは、用紙載置面９ａ上において、記録用紙が載置される用紙載置領域を除いた領域が全体に渡ってマイナスに帯電する様に、ベルト帯電手段によって帯電状態が形成される点である。
【００６２】
従ってプラス帯電したインクミストは、搬送ベルト９の用紙載置領域外のマイナス帯電領域に引きつけられ、付着する。これにより、装置内においてインクミストの飛散をより効果的に抑制し、インクミストの飛散に伴う種々の不具合をより一層抑制し或いは防止することが可能となる。加えて、搬送ベルト９上へのインクミストの付着量を増やすことができ、記録用紙の記録面へのインクミスト付着量を減らすことができ、より良好な記録結果が得られる。
【００６３】
また、以上の様な帯電パターンにより、搬送ベルト９において用紙載置面９ａを構成するベルト部分につき、プラス帯電量よりマイナス帯電量がより一層支配的となり、即ちマイナス帯電量がプラス帯電量より一層多くなることから、用紙載置面９ａの上方を漂うインク滴（プラス帯電している）が搬送ベルト９側により効果的に引き寄せられ、より一層効果的にインク滴の飛散を抑制することができる。
【００６４】
この様な帯電状態を形成するベルト帯電手段は、図７のように構成することができる。図７において第１帯電部１５、第２帯電部１８の基本的構成はすでに説明した第１実施例（図３）と同様である。異なる点は、第１実施例では第１帯電部１５および第２帯電部１８により形成される帯電パターンはベルト幅全体をカバーする幅に形成されるが、本実施例では第１帯電部１５および第２帯電部１８により形成される帯電パターンは用紙幅をカバーする幅に形成される。
【００６５】
そして、用紙領域外には、軸２６に取り付けられた帯電ローラー２７が接する。帯電ローラー２７にはマイナス電圧が印加され、これにより用紙領域外には図６に示す様にマイナス帯電領域が形成される。尚、用紙間領域（図６において記録用紙Ｐ１と記録用紙Ｐ２の間の領域）においてもマイナス帯電領域が形成されるが、これは電圧印加手段１２Ａにおいて第１帯電部１５に電圧を印加する回路がプラス電圧とマイナス電圧とをスイッチング可能に構成されている。
【００６６】
用紙領域に帯電パターンを形成する際、電圧印加手段１２Ａは第１帯電部１５にプラス電圧を印加する。用紙間領域に帯電パターンを形成する際、電圧印加手段１２Ａは第１帯電部１５にマイナス電圧を印加する。この様な構成により、図６に示す帯電パターン、即ち用紙領域外が一様にマイナス帯電する帯電パターンが形成される。
【００６７】
以上、説明した各実施例は一例であり、本発明がこれら実施例に限定されないことは言うまでもない。特に本実施形態では本発明をインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００６８】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００６９】
１  インクジェットプリンター、２  フィードローラー、３  インクジェット記録ヘッド、４  第１用紙検出センサー、５  第２用紙検出センサー、７  駆動ローラー、８  従動ローラー、９  搬送ベルト、１０  除電器、１１  制御部、１２、１２Ａ  電圧印加手段、１４  ベルト帯電手段、１５  第１帯電部、１６  軸、１７  帯電ローラー、１８  第２帯電部、１９  軸、２０  帯電ローラー、２２  被電圧印加部材、２４  クリーニングローラー、２６  軸、２７  帯電ローラー、Ｅｎ  マイナス帯電領域、Ｅｐ  プラス帯電領域、Ｅ０  無帯電領域、Ｐ  記録用紙
【図１】
2014141332.tif 000003
【図２】
2014141332.tif 000004
【図３】
2014141332.tif 000005
【図４】
2014141332.tif 000006
【図５】
2014141332.tif 000007
【図６】
2014141332.tif 000008
【図７】
2014141332.tif 000009